【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
高光沢の表面を有する不透明支持体およびその上に設けられた色材受容層からなる記録用シートであって、該色材受容層が平均粒子径が２００ｎｍ以下の架橋されたポリマー微粒子と水溶性樹脂とからなり、かつ該記録用シートの光沢度が７０％以上であることを特徴とするインクジェット記録用シート。
【請求項２】
該架橋されたポリマー微粒子が、アニオン性又はカチオン性である請求項１に記載のインクジェット記録用シート。
【請求項３】
該水溶性樹脂が、架橋されている請求項１に記載のインクジェット記録用シート。
【請求項４】
架橋されたアニオン性又はカチオン性のポリマー微粒子と水溶性樹脂との重量比が、１：１〜１：１０（前者：後者）の範囲にある請求項１乃至３のうちのいずれかの項に記載のインクジェット記録用シート。
【請求項５】
架橋されたポリマー微粒子の平均粒子径が１〜１００ｎｍの範囲にある請求項１乃至４のうちのいずれかの項に記載のインクジェット記録用シート。
【請求項６】
該水溶性樹脂がポリビニルアルコールである請求項１乃至５のうちのいずれかの項に記載のインクジェット記録用シート。
【手続補正２】
【補正対象書類名】明細書
【補正対象項目名】０００１
【補正方法】変更
【補正の内容】
【０００１】
本発明は、インクジェット記録により画像シートを形成するためのインクジェット記録用シートに関する。特に、インクジェット記録により高光沢の画像シートを形成するためのインクジェット記録用シートに関する。
【手続補正３】
【補正対象書類名】明細書
【補正対象項目名】０００９
【補正方法】変更
【補正の内容】
【０００９】
本発明はインクジェット記録により画像を形成することができ、高い光沢度を有し、画像を形成した場合インク写りの発生も、高湿下でのインク滲みの発生も見られないインクジェット記録用シートを提供することを目的とする。
【手続補正４】
【補正対象書類名】明細書
【補正対象項目名】００１０
【補正方法】変更
【補正の内容】
【００１０】
本発明は、高光沢の表面を有する不透明支持体およびその上に設けられた色材受容層からなる記録用シートであって、該色材受容層が平均粒子径が２００ｎｍ以下の架橋されたポリマー微粒子と水溶性樹脂とからなり、かつ該記録用シートの光沢度が７０％以上であることを特徴とするインクジェット記録用シートにある。
上記光沢度は、ＪＩＳ  Ｐ−８１４２（紙及び板紙の７５度鏡面光沢度試験方法）に記載の方法に従って測定した値である。
【手続補正５】
【補正対象書類名】明細書
【補正対象項目名】００１１
【補正方法】変更
【補正の内容】
【００１１】
本発明のインクジェット記録用シートの好ましい態様は下記のとおりである。
１）該架橋されたポリマー微粒子が、アニオン性又はカチオン性である。
２）架橋されたポリマー微粒子が、アクリル酸アルキルエステル、メタクリル酸アルキルエステル、スチレン及びスチレン誘導体からなる群より選ばれる少なくとも一種のモノマーを、分子中に炭素炭素二重結合を１個又は２個以上有する乳化剤（好ましくは２個以上有する乳化剤）を用いて乳化重合することにより得られるミクロゲルである。
３）架橋されたポリマー微粒子が、カチオン性である（好ましくは、カチオン性を示す基が、４級アンモニウム塩基である）。
４）架橋されたポリマー微粒子の平均粒子径が１〜１００ｎｍである。
５）水溶性樹脂が、架橋されている。
６）水溶性樹脂が、ポリビニルアルコールである。
７）架橋されたポリマー微粒子及び水溶性樹脂との重量比が、１：１〜１：１０の範囲（ポリマー微粒子：水溶性樹脂）にある。
８）色材受容層が、さらにマット剤を０．０１〜５重量％含んでいる。
９）光沢度が７５％以上（特に８０％以上）である。
１０）インクジェット記録に使用されるインクが、水性インク（溶媒の５０重量％以上が水のもの）である。
【手続補正６】
【補正対象書類名】明細書
【補正対象項目名】００１２
【補正方法】変更
【補正の内容】
【００１２】
本発明のインクジェット記録用シートは、支持体上に平均粒子径２００ｎｍ以下の架橋されたポリマー微粒子及び水溶性樹脂からなる色材受容層が設けられている。この色材受容層は、優れたインキ吸収能があるのでインキ写り性が良好である。また、無機微粒子も使用しなくても、良好なインキ写り性を示す。そして、高い光沢度を有する支持体上に、本発明の透明性の高い色材受容層を設けた場合、支持体の高光沢を損なうことなく、高い画質のインキ画像を形成することができる。
【手続補正７】
【補正対象書類名】明細書
【補正対象項目名】００１３
【補正方法】変更
【補正の内容】
【００１３】
本発明のインクジェット記録用シートは、高光沢の不透明支持体及び支持体の一方の表面に設けられた色材受容層とからなる基本構成を有する。色材受容層は支持体の両面に設けても良い。
本発明のインクジェット記録用シートは、例えば下記のようにして製造することができる。
本発明では、支持体としては、高光沢の不透明支持体が使用される。
【手続補正８】
【補正対象書類名】明細書
【補正対象項目名】００３０
【補正方法】変更
【補正の内容】
【００３０】
上記色材受容層の形成は、例えば、上記樹脂、ポリマー微粒子等を含む水分散液（塗布液）を支持体（高光沢の不透明支持体）上に塗布、加熱乾燥することにより実施することができる。塗布は、例えばエアードクターコーター、ブレッドコーター、ロッドコーター、ナイフコーター、スクイズコーター、リバースロールコーター、バーコーター等の公知の塗布方法で行なうことができる。
乾燥は、熱風乾燥機により通常５０〜１８０℃で１〜２０分間乾燥するが、９０〜１５０℃で２〜１５分間乾燥することが好ましい。
また、塗布、乾燥後、例えばスーパーカレンダー、グロスカレンダー等で加熱、加圧下にロールニップ間を通すことにより、表面平滑性、透明性及び塗膜強度を向上させることが可能である。
【手続補正９】
【補正対象書類名】明細書
【補正対象項目名】００３１
【補正方法】変更
【補正の内容】
【００３１】
このようにして得られる本発明の色材受容層は、平均粒子径が２００ｎｍ以下の架橋されたポリマー微粒子が水溶性樹脂中に均一に分散されている。このため、インクジェット記録により噴射されたインクは、水溶性樹脂及びポリマー微粒子そして水溶性樹脂とポリマー微粒子の間隙に吸収されると推定される。従って、水溶性樹脂のみによるインクの吸収の場合は、水溶性樹脂の色材受容層が、膨潤又は軟化するため紙へのインク写りが大きいが、本発明の色材受容層では水溶性樹脂が吸収するインクの量は少なくインク写りがほとんど発生しない。特にポリマー微粒子がカチオン性またはアニオン性（特にカチオン性）である場合はインクとの親和性が良好でインク写り性等が向上する。また、通常インク写り性の改善に用いられる無機微粒子も使用する必要がないので、色材受容層の透明性も高い。そして、高い光沢度を有する支持体上に、本発明の透明性の高い色材受容層を設けた場合に、支持体の高光沢を損なうことなく、高い画質のインク画像を形成することができる。更に、本発明の色材受容層に含まれる架橋されたポリマー微粒子の平均粒子径は、２００ｎｍ以下と極めて小さい為、特に可視光の低波長領域（４００ｎｍ程度）の光を散乱させることがほとんどないことから、得られる画像の透明性が向上し画質も優れたものである。
上記色材受容層が高光沢の不透明支持体上に設けられた本発明のインクジェット記録用シートは、シート表面の光沢率が７０％以上であり、７５％以上が好ましく、特に８０％以上が好ましい。
次に実施例と比較例を示す。なお、実施例１乃至３および比較例１乃至２は、いずれも参考例である。そして、実施例４乃至７および比較例３乃至４が、それぞれ本発明の実施例と比較例である。